(57)【要約】【課題】本発明は照明器具に関し、安定した無線通信が可能な照明器具を得ることを目的とする。【解決手段】本発明に係る照明器具は、発光素子を有する光源ユニットと、該発光素子を点灯させる点灯装置と、該光源ユニットの光出射方向に設けられた第１反射板と、該第１反射板よりも該光出射方向に設けられた第２反射板と、該第１反射板と該第２反射板との間に設けられ、該点灯装置と繋がり無線信号を受信する無線ユニットと、を備える。【選択図】図６
2020194705.tif 000002
【特許請求の範囲】
【請求項１】
発光素子を有する光源ユニットと、
前記発光素子を点灯させる点灯装置と、
前記光源ユニットの光出射方向に設けられた第１反射板と、
前記第１反射板よりも前記光出射方向に設けられた第２反射板と、
前記第１反射板と前記第２反射板との間に設けられ、前記点灯装置と繋がり無線信号を受信する無線ユニットと、
を備えることを特徴とする照明器具。
【請求項２】
前記無線ユニットは信号線を有し、
前記第１反射板には、前記信号線を前記光源ユニット側に通す開口部が形成されることを特徴とする請求項１に記載の照明器具。
【請求項３】
前記第２反射板は、前記開口部を覆うことを特徴とする請求項２に記載の照明器具。
【請求項４】
前記信号線は前記点灯装置と接続され、前記無線信号を前記点灯装置に伝送することを特徴とする請求項２または３に記載の照明器具。
【請求項５】
前記開口部は前記第１反射板の外周部に形成されることを特徴とする請求項２から４の何れか１項に記載の照明器具。
【請求項６】
前記第２反射板は、前記第１反射板に向かって開口した収納部を有し、
前記無線ユニットは、前記収納部に収納されることを特徴とする請求項１から５の何れか１項に記載の照明器具。
【請求項７】
前記第２反射板は前記第１反射板に沿って設けられることを特徴とする請求項１から５の何れか１項に記載の照明器具。
【請求項８】
前記光源ユニットは被取付部に形成された開口に埋め込まれ、
前記無線ユニットは、前記被取付部よりも前記光出射方向に設けられることを特徴とする請求項１から７の何れか１項に記載の照明器具。
【請求項９】
前記第１反射板と前記第２反射板は、同じ材料で形成されることを特徴とする請求項１から８の何れか１項に記載の照明器具。
【請求項１０】
前記第２反射板は、枠状であり、前記第１反射板の外周部を覆うことを特徴とする請求項１から９の何れか１項に記載の照明器具。
【請求項１１】
前記第２反射板は、前記第１反射板の外周部の一部を覆うことを特徴とする請求項１から９の何れか１項に記載の照明器具。
【発明の詳細な説明】
【技術分野】
【０００１】
本発明は、照明器具に関する。
【背景技術】
【０００２】
特許文献１には、リモコンを用いた無線通信により操作することが可能な天井埋め込み型の照明装置が開示されている。この照明装置は、軸方向一端が開口した筒状の装置本体と、装置本体の内部に設けられた発光モジュールとを備える。照明装置は、装置本体の外側に設けられた無線通信モジュールをさらに備える。
【先行技術文献】
【特許文献】
【０００３】
【特許文献１】特開２０１８−１９８１４０号公報
【発明の概要】
【発明が解決しようとする課題】
【０００４】
特許文献１の構成によると、無線通信モジュールが天井裏に配置されることが考えられる。一般に天井裏にはダクトが設置されている場合がある。このため、天井裏に無線通信モジュールが配置されると、無線通信が安定しないおそれがある。また、無線通信モジュールと床面側のコントローラとが、天井材を透過する電波で通信する場合においても、天井材による電波の減衰が起こることが考えられる。
【０００５】
本発明は、上述の課題を解決するためになされたもので、安定した無線通信が可能な照明器具を得ることを目的とする。
【課題を解決するための手段】
【０００６】
本発明に係る照明器具は、発光素子を有する光源ユニットと、該発光素子を点灯させる点灯装置と、該光源ユニットの光出射方向に設けられた第１反射板と、該第１反射板よりも該光出射方向に設けられた第２反射板と、該第１反射板と該第２反射板との間に設けられ、該点灯装置と繋がり無線信号を受信する無線ユニットと、を備える。
【発明の効果】
【０００７】
本発明に係る照明器具では、無線ユニットが第１反射板と第２反射板との間に設けられる。このため、無線ユニットと照明器具の照射面側との間で行われる無線通信が、照明器具の被取付部に妨げられることを防止できる。従って、安定した無線通信が可能になる。
【図面の簡単な説明】
【０００８】
【図１】実施の形態１に係る照明器具の斜視図である。
【図２】実施の形態１に係る照明器具の分解斜視図である。
【図３】実施の形態１に係る第２反射板と無線ユニットの斜視図である。
【図４】第２反射板に無線ユニットが取り付けられた状態を説明する図である。
【図５】実施の形態１に係る無線ユニットの斜視図である。
【図６】第２反射板の取り付け方法を説明する断面図である。
【図７】第２反射板が取り付けられた状態を説明する断面図である。
【図８】実施の形態２に係る照明器具の断面図である。
【図９】実施の形態３に係る照明器具の断面図である。
【図１０】実施の形態４に係る照明器具の断面図である。
【発明を実施するための形態】
【０００９】
本発明の実施の形態に係る照明器具について図面を参照して説明する。同じ又は対応する構成要素には同じ符号を付し、説明の繰り返しを省略する場合がある。
【００１０】
実施の形態１．
図１は、実施の形態１に係る照明器具１００の斜視図である。図２は、実施の形態１に係る照明器具１００の分解斜視図である。照明器具１００は、点灯装置１０、光源ユニット２０、第１反射板３０および第２反射板４０を備える。なお、以下で光源ユニット２０からの光出射方向を便宜上、下方向と呼ぶ。これは、照明器具１００が実際に取り付けられる方向を限定するものではない。
【００１１】
点灯装置１０は外部電源から電力を供給され、光源ユニット２０を点灯させる。点灯装置１０は光源ユニット２０の側面に取り付けられる。これに限らず、点灯装置１０は光源ユニット２０の底面に取り付けられても良い。ここで底面は、光源ユニット２０のうち、第１反射板３０と反対側の面である。また、点灯装置１０は配線を介して光源ユニット２０と離れて設けられても良い。
【００１２】
照明器具１００は、例えば天井等の被取付部に埋め込まれる。このとき、点灯装置１０は被取付部に対して、光源ユニット２０の光出射方向と反対側に設けられる。点灯装置１０は例えば天井裏等に設けられる。
【００１３】
光源ユニット２０において、ヒートシンク２１の下には後述する光源モジュールが設けられる。光源モジュールの下にはリフレクタ２５が配置される。リフレクタ２５は、ヒートシンク２１に光源モジュールを密着させるように固定する。
【００１４】
第１反射板３０は、光源ユニット２０の光出射方向に設けられる。第１反射板３０は、光源ユニット２０の下に設けられ、後述する発光素子２４の配光を調整する。第１反射板３０は、発光素子２４からの光を反射する。第１反射板３０は、光源ユニット２０に着脱自在に取り付けることが可能である。このため、ユーザは所望の配光特性に応じて、第１反射板３０を自由に選択できる。
【００１５】
第１反射板３０は環状である。第１反射板３０は、環状の枠部３１と、枠部３１から光源ユニット２０に向かって延びる主部３２とを有する。枠部３１は光出射方向から見て発光素子２４を囲む。主部３２は光源ユニット２０に近づくほど先細りとなるテーパ形状である。主部３２は反射枠とも呼ばれる。第１反射板３０の形状はこれに限らず、目標とする配光特性に応じて変更されても良い。
【００１６】
第２反射板４０は、第１反射板３０よりも光出射方向に設けられる。第２反射板４０は枠状である。第２反射板４０は、第１反射板３０の枠部３１に設けられ、第１反射板３０の外周部を覆う。本実施の形態の第２反射板４０は、第１反射板３０の外周部に応じた形状を有し、環状である。第２反射板４０の形状は、第１反射板３０の形状に合わせて変更されても良い。
【００１７】
第２反射板４０は、第１反射板３０に着脱自在に取り付けられる。第２反射板４０は、第１反射板３０にネジなどの締結部材で取り付けられても良い。また、第２反射板４０と第１反射板３０は、互い嵌め合いし、係合しても良い。
【００１８】
図３は、実施の形態１に係る第２反射板４０と無線ユニット５０の斜視図である。第２反射板４０は、環状の内壁４１と、内壁４１を囲む環状の外壁４２を有する。内壁４１と外壁４２とは底部４３によって繋がる。内壁４１と外壁４２と底部４３は、収納部４４を形成する。
【００１９】
図４は、第２反射板４０に無線ユニット５０が取り付けられた状態を説明する図である。無線ユニット５０は、収納部４４に収納される。
【００２０】
図５は、実施の形態１に係る無線ユニット５０の斜視図である。無線ユニット５０は、外部コントローラからの無線信号を受信する。また、無線ユニット５０は、点灯装置１０と繋がる。これにより、無線信号が点灯装置１０に転送される。
【００２１】
無線ユニット５０は、板状の基板５１と、信号線５２と、図５に示されるアンテナ５３とを有している。基板５１は収納部４４に沿った形状を有し、屈曲している。
【００２２】
アンテナ５３は、外部コントローラからの無線信号を受信する。アンテナ５３は基板５１のうち底部４３と対向する面に実装されている。アンテナ５３は、例えば基板５１上に形成されたパターンアンテナである。パターンアンテナは、例えば銅箔で形成される。アンテナ５３は、基板５１とは別の部品であっても良く、チップアンテナ等であっても良い。
【００２３】
信号線５２は、アンテナ５３で受信した無線信号に応じた制御信号を点灯装置１０に伝送する。無線ユニット５０は、無線信号に応じて制御信号を送信することで、点灯装置１０を制御する。信号線５２は、点灯装置１０と接続される制御信号ケーブルである。図４に示されるように、無線ユニット５０を第２反射板４０に収納した状態で、信号線５２が第２反射板４０から引き出される。
【００２４】
無線信号は、点灯装置１０に光源モジュールの点灯、消灯、調光率、色温度等を指示する信号である。点灯装置１０は、無線ユニット５０から無線信号に応じた制御信号を受信すると、制御信号に応じて例えば光源モジュールの点灯状態を制御する。無線信号は、点灯装置１０に対して、点灯装置１０についての情報の応答を求める信号であっても良い。点灯装置１０についての情報は、例えば点灯装置１０の識別情報、消費電力である。
【００２５】
基板５１には、無線信号を制御信号に変換する回路が実装されても良い。また、無線ユニット５０は、少なくともアンテナ５３を有すれば良い。
【００２６】
図６は、第２反射板４０の取り付け方法を説明する断面図である。ヒートシンク２１の取付面２１ａには、光源モジュールが設けられる。光源モジュールは、発光基板２３およびソケット２２を有する。
【００２７】
発光基板２３は、取付面２１ａと反対側の面に複数の発光素子２４を有する。発光素子２４は例えばＬＥＤである。点灯装置１０は、光源モジュールに電力を供給し、発光素子２４を点灯させる。ヒートシンク２１は、光源モジュールが発する熱を放熱する。発光基板２３に設けられる発光素子２４は１つ以上であれば良い。
【００２８】
ソケット２２は、ヒートシンク２１の取付面２１ａに設けられた上部分と、上部分の下に設けられた下部分とを有する。発光基板２３は、ソケット２２の上部分と下部分とに挟まれて保持される。ソケット２２の下部分は発光素子２４を囲む。発光基板２３は、ソケット２２に保持された状態で、ヒートシンク２１に取り付けられる。ソケット２２は、発光基板２３をヒートシンク２１の取付面２１ａに固定している。
【００２９】
リフレクタ２５は、取付面２１ａの下に設けられる。リフレクタ２５は、ネジ等でヒートシンク２１に取り付けられる。リフレクタ２５は光源モジュールを囲む。リフレクタ２５は、光源モジュールを囲む内側面から光源モジュールに向かって延びる保持部２５ａを有する。保持部２５ａは、ソケット２２に向かって延び、ソケット２２をヒートシンク２１に押し付ける。これにより、光源モジュールはヒートシンク２１に固定される。このように、リフレクタ２５は、発光基板２３をヒートシンク２１に固定する機能を有する。
【００３０】
光源カバー２６は、リフレクタ２５に取り付けられ固定される。光源カバー２６は保持部２５ａに取り付けられる。光源カバー２６は、リフレクタ２５の下に設けられ、光源モジュールを覆う。光源カバー２６は発光素子２４の光出射方向に設けられ、発光素子２４を覆う。光源カバー２６は、発光素子２４からの光を透過させる。光源カバー２６は、発光素子２４からの光を拡散させる拡散板であっても良い。
【００３１】
また、第１反射板３０は、リフレクタ２５の外壁に取り付けられ、光源カバー２６の下に設けられる。第１反射板３０は、光源カバー２６に対して発光基板２３と反対側に設けられる。
【００３２】
第１反射板３０には、信号線５２を光源ユニット２０側に通す開口部３３が形成される。開口部３３は第１反射板３０の外周部に形成される。開口部３３は、出来るだけ発光素子２４から離れた位置に形成されることが好ましい。これにより、第２反射板４０で開口部３３を覆うことができる。また、第２反射板４０を取り付けない場合にも、開口部３３が第１反射板３０の配光特性に及ぼす影響を抑制できる。また、リフレクタ２５に信号線５２を通す開口が形成されていても良い。
【００３３】
照明器具１００は、天井６０に形成された開口６１に取り付けられる。天井６０は被取付部である。光源ユニット２０は開口６１に埋め込まれる。このとき、第１反射板３０の枠部３１は天井６０よりも床面側に設けられる。
【００３４】
図７は、第２反射板４０が取り付けられた状態を説明する断面図である。第２反射板４０は、第１反射板３０に下方から取り付けられる。
【００３５】
照明器具１００では、ヒートシンク２１の取付面２１ａに光源モジュール、リフレクタ２５、光源カバー２６、第１反射板３０、第２反射板４０がこの順で重なる。第１反射板３０は、取付面２１ａと垂直な方向で、発光基板２３よりも取付面２１ａから遠い位置まで設けられる。第２反射板４０は、取付面２１ａと垂直な方向で、第１反射板３０よりも取付面２１ａから遠い位置まで設けられる。第２反射板４０は、天井６０より下に突出したように配置される。無線ユニット５０は、第１反射板３０と第２反射板４０との間に設けられる。
【００３６】
このような構成によれば、無線ユニット５０と床面側との間で行われる無線通信が天井６０に妨げられることを防止できる。このため、天井６０より照明器具１００の照射面側で、アンテナ５３の放射特性を向上できる。従って、安定した無線通信が可能となる。ここで、照明器具１００の照射面側は床面側である。
【００３７】
本実施の形態では、第２反射板４０の収納部４４は、第１反射板３０に向かって開口している。無線ユニット５０は、収納部４４と第１反射板３０の枠部３１との間に設けられる。これにより、無線ユニット５０が天井６０よりも光出射方向に設けられる。従って、さらに安定した無線通信が可能となる。
【００３８】
また、開口部３３および信号線５２は第２反射板４０に覆われ、意匠面に露出しない。従って、無線ユニット５０を設けることで照明器具１００の外観に違和感が生じることを抑制できる。
【００３９】
また、無線ユニット５０を第２反射板４０に収納して取り付けることで、無線ユニット５０を照明器具１００の金属部材から離して配置できる。照明器具１００の金属部材は、例えばヒートシンク２１および点灯装置１０である。これにより、無線通信が金属部材に妨げられることを抑制でき、無線通信をさらに安定して実施できる。また、無線信号が妨げられることを抑制するため、無線ユニット５０を囲む第１反射板３０および第２反射板４０は、非金属から形成されることが好ましい。第１反射板３０および第２反射板４０は、例えば樹脂から構成される。樹脂は、ＡＢＳ（Ａｃｒｙｌｏｎｉｔｒｉｌｅ  Ｂｕｔａｄｉｅｎｅ  Ｓｔｙｒｅｎｅ）、ＰＣ（ｐｏｌｙｃａｒｂｏｎａｔｅ）、ＰＣ−ＡＢＳ等である。
【００４０】
また、本実施の形態では、無線ユニット５０のアンテナ５３および基板５１を、発光基板２３、点灯装置１０およびヒートシンク２１から離して配置できる。従って、無線ユニット５０が、発光基板２３、点灯装置１０およびヒートシンク２１からの熱の影響を受けることを抑制できる。従って、無線ユニット５０の通信特性が熱の影響で変化することを抑制できる。
【００４１】
また、第２反射板４０は、第１反射板３０に対して容易に着脱できる。このため、無線通信が不要な場合、第２反射板４０および無線ユニット５０を取り付けない状態で照明器具１００を使用できる。また、無線通信を使用する場合は、第２反射板４０および無線ユニット５０を取り付けて照明器具１００を使用できる。このように、ユーザの使用用途によって、無線ユニット５０の有無を自由に選択できる。
【００４２】
なお、無線ユニット５０を使用しない場合にも、第２反射板４０に無線ユニット５０を収納しない状態で、第１反射板３０に第２反射板４０を取り付けても良い。これにより、開口部３３を塞ぐことができる。従って、開口部３３により照明器具１００の外観に違和感が生じることを防止できる。
【００４３】
また、照明器具１００の被取付部は、天井６０に限らず壁等であっても良い。
【００４４】
これらの変形は、以下の実施の形態に係る照明器具について適宜応用することができる。なお、以下の実施の形態に係る照明器具については実施の形態１との共通点が多いので、実施の形態１との相違点を中心に説明する。
【００４５】
実施の形態２．
図８は、実施の形態２に係る照明器具２００の断面図である。照明器具２００は、第２反射板２４０の構造が実施の形態１と異なる。第２反射板２４０は、内壁２４１、外壁２４２および底部２４３を有する。内壁２４１、外壁２４２および底部２４３は収納部２４４を形成する。実施の形態１の第２反射板４０は、底部４３が天井面または取付面２１ａと平行であった。これに対し、本実施の形態の第２反射板２４０では、底部２４３は枠部３１と平行である。底部２４３は天井面に対して傾いている。
【００４６】
無線ユニット５０は、基板５１が底部２４３および枠部３１に沿うように収納部２４４に収納される。無線ユニット５０は、底部２４３および枠部３１と接触し、挟まれる。
【００４７】
本実施の形態では、実施の形態１と比較して、第１反射板３０から第２反射板２４０が突出する部分が小さい。本実施の形態では、底部２４３が枠部３１に沿って設けられるため、第２反射板４０の有無による照明器具２００の意匠面の形状の違いを抑制できる。従って、外観の違和感を抑制して、無線機能を付加できる。
【００４８】
また、収納部２４４は一部が主部３２の内側に突出するように設けられる。これにより、主部３２に形成された開口部３３に信号線５２を通すことができる。
【００４９】
実施の形態３．
図９は、実施の形態３に係る照明器具３００の断面図である。照明器具３００は、第２反射板３４０の構造が実施の形態１と異なる。第２反射板３４０は、内壁３４１、外壁３４２および底部３４３を有する。第２反射板３４０は第１反射板３０に沿って設けられる。内壁３４１は、主部３２に沿って延びる。また、底部３４３は枠部３１に沿って延びる。底部３４３は枠部３１に密着する。
【００５０】
無線ユニット５０は主部３２と第２反射板３４０の内壁３４１との間に設けられる。無線ユニット５０は、主部３２と第２反射板３４０との間に挟み込まれるように収納される。さらに、第１反射板３０と第２反射板３４０は、同じ材料で形成されることが望ましい。
【００５１】
本実施の形態では、第２反射板３４０が第１反射板３０の主部３２に沿うように設けられる。これにより、第２反射板３４０を設けた場合の配光と、第２反射板３４０を設けない場合の第１反射板３０による配光とを同等にできる。従って、無線通信機能を付加することによる配光への影響を抑制できる。
【００５２】
また、無線ユニット５０は、光出射方向から見て天井６０の開口６１と重なる位置に設けられる。従って、無線ユニット５０による無線通信が天井６０に妨げられることを抑制できる。
【００５３】
本実施の形態において、無線ユニット５０を収納して保持できれば、外壁３４２および底部３４３は設けられなくても良い。
【００５４】
実施の形態４．
図１０は、実施の形態４に係る照明器具４００の断面図である。照明器具４００は、第２反射板４４０の構造が実施の形態１と異なる。第２反射板４４０は、収納部４４４を有する。収納部４４４は主部３２の内側に向かって突出する。無線ユニット５０は、収納部４４４の底部４４３に設けられる。
【００５５】
実施の形態１〜３では、第２反射板は第１反射板３０の枠部３１を全て覆うように、環状に設けられた。これに対し、本実施の形態の第２反射板４４０は、第１反射板３０の外周部の一部を覆う。つまり、第２反射板４４０は、第１反射板３０の周方向において、枠部３１の一部のみに設けられる。収納部４４４のみが第１反射板３０に取り付けられていても良い。
【００５６】
本実施の形態では、第１反射板３０の一部から第２反射板４０が突出する。このため、照明器具４００の外観を確認することで、無線ユニット５０が収納されている箇所が把握できる。例えば、無線ユニット５０と無線通信する外部コントローラがリモコンの場合、リモコンを収納部４４４に向けて無線信号を送信することで、確実に無線通信を実施できる。
【００５７】
さらに、第２反射板４４０を第１反射板３０に沿って取り付ける必要がない。このため、第２反射板４４０を容易に取り付けることができる。また、第２反射板４４０は、少なくとも無線ユニット５０の収納部４４４があれば良い。このため、第２反射板４４０の軽量化および小型化が可能となる。
【００５８】
各実施の形態で説明した技術的特徴は適宜に組み合わせて用いてもよい。
【符号の説明】
【００５９】
１０  点灯装置、２０  光源ユニット、２１  ヒートシンク、２１ａ  取付面、２２  ソケット、２３  発光基板、２４  発光素子、２５  リフレクタ、２５ａ  保持部、２６  光源カバー、３０  第１反射板、３１  枠部、３２  主部、３３  開口部、４０  第２反射板、４１  内壁、４２  外壁、４３  底部、４４  収納部、５０  無線ユニット、５１  基板、５２  信号線、５３  アンテナ、６０  天井、６１  開口、１００、２００  照明器具、２４０  第２反射板、２４１  内壁、２４２  外壁、２４３  底部、２４４  収納部、３００  照明器具、３４０  第２反射板、３４１  内壁、３４２  外壁、３４３  底部、４００  照明器具、４４０  第２反射板、４４３  底部、４４４  収納部
【図１】
2020194705.tif 000003
【図２】
2020194705.tif 000004
【図３】
2020194705.tif 000005
【図４】
2020194705.tif 000006
【図５】
2020194705.tif 000007
【図６】
2020194705.tif 000008
【図７】
2020194705.tif 000009
【図８】
2020194705.tif 000010
【図９】
2020194705.tif 000011
【図１０】
2020194705.tif 000012